(57)【要約】【課題】スキャナ機能とカードライタ機能を有する画像処理装置をＰＣから制御するシステムにおいて、ＰＣ上での非常に簡単な操作（スキャンツールバーのボタン押下）だけで、スキャンした画像をメモリカードに書き込むことが可能なシステムを提供する。【解決手段】ＰＣと画像処理装置がインタフェースで接続されるシステムで、画像処理装置の原稿読取部で読み取った読取画像をＰＣに転送し、ＰＣでファイル形式に変換した上で画像処理装置に装着された着脱可能な記憶媒体に記憶媒体に書き込むように構成する。【選択図】　図５
2004032279.tif 000002
【特許請求の範囲】
【請求項１】
情報を送受信するためのインタフェース手段により接続された情報処理装置と画像処理装置とから構成される画像処理システムであって、
前記情報処理装置は、スキャン指示が出された場合に、前記画像処理装置を制御して原稿を読み取らせるとともに読み取った画像データを前記情報処理装置に転送させ、前記画像処理装置から転送された前記画像データからファイルデータを生成するとともに生成した前記ファイルデータを前記画像処理装置に転送し、前記ファイルデータをファイル情報とともに前記画像処理装置に装着された着脱自在な記憶媒体に書き込むことを特徴とする画像処理システム。
【請求項２】
前記スキャン指示は、前記画像処理装置に設けられたスキャン指示入力手段からの指示入力により出されることを特徴とする請求項１に記載の画像処理システム。
【請求項３】
原稿の読み取り又は前記記録媒体への書き込みのエラーを検出し、前記エラーを検出した場合に、前記スキャン指示を前記情報処理装置に伝達しないことを特徴とする請求項２に記載の画像処理システム。
【請求項４】
原稿の読み取り又は前記記録媒体への書き込みのエラーを検出し、検出したエラー情報を表示することを特徴とする請求項１に記載の画像処理システム。
【請求項５】
原稿の読み取り又は前記記録媒体への書き込みのエラーを検出し、検出したエラー情報を前記情報処理装置に伝達することを特徴とする請求項１に記載の画像処理システム。
【請求項６】
複数の読取モードを設定可能であり、あらかじめ読取モードが設定されている場合には、前記スキャン指示に応じて設定されている読取モードで自動的にスキャンを開始し、あらかじめ読取モードが設定されていない場合には、前記スキャン指示に応じて読取モードの設定を促した後、設定された読取モードでスキャンを開始することを特徴とする請求項１に記載の画像処理システム。
【請求項７】
前記情報処理装置は、複数のメディアドライブを設定可能であり、前記画像処理装置の記憶媒体装着部を前記複数のメディアドライブの一つとして認識し、認識されたメディアドライブに前記ファイルデータを転送することを特徴とする請求項１に記載の画像処理システム。
【請求項８】
情報を送受信するためのインタフェース手段により画像処理装置と接続される情報処理装置であって、
スキャン指示が出された場合に、前記画像処理装置を制御して原稿を読み取らせるとともに読み取った画像データを前記情報処理装置に転送させ、前記画像処理装置から転送された前記画像データからファイルデータを生成するとともに生成した前記ファイルデータを前記画像処理装置に転送し、前記ファイルデータをファイル情報とともに前記画像処理装置に装着された着脱自在な記憶媒体に書き込むことを特徴とする情報処理装置。
【請求項９】
前記スキャン指示は、前記画像処理装置に設けられたスキャン指示入力手段からの指示入力により出されることを特徴とする請求項８に記載の情報処理装置。
【請求項１０】
原稿読み取り又は前記記録媒体への書き込みのエラーを検出し、検出したエラー情報を表示することを特徴とする請求項８に記載の情報処理装置。
【請求項１１】
複数の読取モードを設定可能であり、あらかじめ読取モードが設定されている場合には、前記スキャン指示に応じて設定されている読取モードで自動的にスキャンを開始し、あらかじめ読取モードが設定されていない場合には、前記スキャン指示に応じて読取モードの設定を促した後、設定された読取モードでスキャンを開始することを特徴とする請求項８に記載の情報処理装置。
【請求項１２】
複数のメディアドライブを設定可能であり、前記画像処理装置の記憶媒体装着部を前記複数のメディアドライブの一つとして認識し、認識されたメディアドライブに前記ファイルデータを転送することを特徴とする請求項８に記載の情報処理装置。
【請求項１３】
情報を送受信するためのインタフェース手段により情報処理装置と接続され、前記情報処理装置により制御される画像処理装置であって、
スキャン指示が出された場合に、原稿を読み取るとともに読み取った画像データを前記情報処理装置に転送し、前記情報処理装置において前記画像データから生成されたファイルデータを着脱自在な記憶媒体にファイル情報とともに書き込むことを特徴とする画像処理装置。
【請求項１４】
スキャン指示入力手段を備え、前記スキャン指示は、前記スキャン指示入力手段からの指示入力により出されることを特徴とする請求項１３に記載の画像処理装置。
【請求項１５】
原稿の読み取り又は前記記録媒体への書き込みのエラーを検出し、前記エラーを検出した場合に、前記スキャン指示を前記情報処理装置に伝達しないことを特徴とする請求項１４に記載の画像処理装置。
【請求項１６】
原稿の読み取り又は前記記録媒体への書き込みのエラーを検出し、検出したエラー情報を表示することを特徴とする請求項１３に記載の画像処理装置。
【請求項１７】
原稿の読み取り又は前記記録媒体への書き込みのエラーを検出し、検出したエラー情報を前記情報処理装置に伝達することを特徴とする請求項１３に記載の画像処理装置。
【請求項１８】
情報を送受信するためのインタフェース手段により接続された情報処理装置と画像処理装置とから構成される画像処理システムを制御するための制御プログラムであって、
スキャン指示が出された場合に、前記画像処理装置に原稿を読み取らせるとともに読み取った画像データを前記情報処理装置に転送させるステップと、
転送された前記画像データに基づいて前記情報処理装置にファイルデータを生成させるとともに生成された前記ファイルデータを前記画像処理装置に転送するステップと、
前記ファイルデータをファイル情報とともに前記画像処理装置に装着された着脱自在な記憶媒体に書き込むステップと、
を有することを特徴とする制御プログラム。
【請求項１９】
前記スキャン指示は、前記画像処理装置に設けられたスキャン指示入力手段からの指示入力により出されることを特徴とする請求項１８に記載の制御プログラム。
【請求項２０】
原稿の読み取り又は前記記録媒体への書き込みのエラーを検出するステップを有し、前記エラーを検出した場合に、前記指示入力がなされたことを前記情報処理装置に伝達しないことを特徴とする請求項１９に記載の制御プログラム。
【請求項２１】
原稿の読み取り又は前記記録媒体への書き込みのエラーを検出するステップと、検出したエラー情報を表示するステップとを有することを特徴とする請求項１８に記載の制御プログラム。
【請求項２２】
原稿の読み取り又は前記記録媒体への書き込みのエラーを検出するステップと、検出したエラー情報を前記情報処理装置に伝達するステップとを有することを特徴とする請求項１８に記載の制御プログラム。
【請求項２３】
複数の読取モードを読取可能であり、あらかじめ読取モードが設定されているか否かを判断するステップを有し、あらかじめ読取モードが設定されている場合には、前記スキャン指示に応じて設定されている読取モードで自動的にスキャンを開始し、あらかじめ読取モードが設定されていない場合には、前記スキャン指示に応じて読取モードの設定を促した後、設定された読取モードでスキャンを開始することを特徴とする請求項１８に記載の制御プログラム。
【請求項２４】
前記情報処理装置は、複数のメディアドライブを設定可能であり、前記画像処理装置の記憶媒体装着部を前記複数のメディアドライブの一つとして認識し、認識されたメディアドライブに前記ファイルデータを転送することを特徴とする請求項１８に記載の制御プログラム。
【請求項２５】
情報を送受信するためのインタフェース手段により画像処理装置と接続される情報処理装置を制御するための制御プログラムであって、
スキャン指示が出された場合に、前記画像処理装置を制御して原稿を読み取らせるとともに読み取った画像データを前記情報処理装置に転送させるステップと、
前記画像処理装置から転送された前記画像データからファイルデータを生成するとともに生成した前記ファイルデータを前記画像処理装置に転送するステップと、
前記ファイルデータをファイル情報とともに前記画像処理装置に装着された着脱自在な記憶媒体に書き込むステップと、
を有することを特徴とする制御プログラム。
【請求項２６】
前記スキャン指示は、前記画像処理装置に設けられたスキャン指示入力手段からの指示入力により出されることを特徴とする請求項２５に記載の制御プログラム。
【請求項２７】
原稿読み取り又は前記記録媒体への書き込みのエラーを検出するステップと、検出したエラー情報を表示するステップとを有することを特徴とする請求項２５に記載の制御プログラム。
【請求項２８】
複数の読取モードを設定可能であり、あらかじめ読取モードが設定されている場合には、前記スキャン指示に応じて設定されている読取モードで自動的にスキャンを開始し、あらかじめ読取モードが設定されていない場合には、前記スキャン指示に応じて読取モードの設定を促した後、設定された読取モードでスキャンを開始することを特徴とする請求項２５に記載の制御プログラム。
【請求項２９】
複数のメディアドライブを設定可能であり、前記画像処理装置の記憶媒体装着部を前記複数のメディアドライブの一つとして認識し、認識されたメディアドライブに前記ファイルデータを転送することを特徴とする請求項２５に記載の制御プログラム。
【請求項３０】
情報を送受信するためのインタフェース手段により情報処理装置と接続され、前記情報処理装置により制御される画像処理装置を制御するための制御プログラムであって、
スキャン指示が出された場合に、原稿を読み取るとともに読み取った画像データを前記情報処理装置に転送するステップと、
前記情報処理装置において前記画像データから生成されたファイルデータを着脱自在な記憶媒体にファイル情報とともに書き込むステップと、
を有することを特徴とする制御プログラム。
【請求項３１】
スキャン指示入力手段を備え、前記スキャン指示は、前記スキャン指示入力手段からの指示入力により出されることを特徴とする請求項３０に記載の制御プログラム。
【請求項３２】
原稿の読み取り又は前記記録媒体への書き込みのエラーを検出するステップを有し、前記エラーを検出した場合に、前記スキャン指示を前記情報処理装置に伝達しないことを特徴とする請求項３１に記載の制御プログラム。
【請求項３３】
原稿の読み取り又は前記記録媒体への書き込みのエラーを検出するステップと、検出したエラー情報を表示するステップを有することを特徴とする請求項３０に記載の制御プログラム。
【請求項３４】
原稿の読み取り又は前記記録媒体への書き込みのエラーを検出するステップと、検出したエラー情報を前記情報処理装置に伝達するステップとを有することを特徴とする請求項３０に記載の制御プログラム。
【発明の詳細な説明】
【０００１】
【発明の属する技術分野】
本発明は、原稿画像を読み取る画像処理装置と、該画像処理装置を制御する情報処理装置、それらで構成される画像処理システム、及び制御プログラムに関するものである。
【０００２】
【従来の技術】
従来、情報処理端末と画像処理装置とを接続し、情報処理端末から画像処理装置を制御するシステムが知られている。この種の装置では、情報処理端末からの指示により、プリント，スキャン，ファクス送信を行ったり、また、受信したファクス文書を情報処理端末に転送，保存したりすることが可能である。
また、近年、画像処理装置上にメモリカードスロットが搭載され、情報処理端末から画像処理装置に装着されたメモリカードの読み書きが可能な画像処理装置も登場している。
【０００３】
【発明が解決しようとする課題】
しかしながら、上記従来例において、情報処理端末から画像処理装置の各機能を使用するためには、個々の機能を別々に動作させなければならないという煩わしさがあった。例えば、画像処理装置でスキャンした画像を画像処理装置に装着されたメモリカードに保存する場合、オペレータは、情報処理端末を操作することで画像処理装置にスキャンを行わせ、スキャン画像を一旦情報処理端末側のハードディスク等に保存し、次に該保存された画像を情報処理端末から画像処理装置に装着されたメモリカードに転送するという煩雑な処理を行う必要があった。
【０００４】
本出願に係る発明の目的は、前記のような従来技術の問題点を解決し、オペレータに煩雑な動作を強いることの無い使い勝手のよい画像処理システムを提供することにある。
【０００５】
【課題を解決するための手段】
本発明は、上記課題を解決するためになされたものであり、請求項１に記載の画像処理システムは、情報を送受信するためのインタフェース手段により接続された情報処理装置と画像処理装置とから構成される画像処理システムであって、前記情報処理装置は、スキャン指示が出された場合に、前記画像処理装置を制御して原稿を読み取らせるとともに読み取った画像データを前記情報処理装置に転送させ、前記画像処理装置から転送された前記画像データからファイルデータを生成するとともに生成した前記ファイルデータを前記画像処理装置に転送し、前記ファイルデータをファイル情報とともに前記画像処理装置に装着された着脱自在な記憶媒体に書き込むことを特徴とする。
【０００６】
請求項８に記載の情報処理装置は、情報を送受信するためのインタフェース手段により画像処理装置と接続される情報処理装置であって、スキャン指示が出された場合に、前記画像処理装置を制御して原稿を読み取らせるとともに読み取った画像データを前記情報処理装置に転送させ、前記画像処理装置から転送された前記画像データからファイルデータを生成するとともに生成した前記ファイルデータを前記画像処理装置に転送し、前記ファイルデータをファイル情報とともに前記画像処理装置に装着された着脱自在な記憶媒体に書き込むことを特徴とする。
【０００７】
請求項１３に記載の画像処理装置は、情報を送受信するためのインタフェース手段により情報処理装置と接続され、前記情報処理装置により制御される画像処理装置であって、スキャン指示が出された場合に、原稿を読み取るとともに読み取った画像データを前記情報処理装置に転送し、前記情報処理装置において前記画像データから生成されたファイルデータを着脱自在な記憶媒体にファイル情報とともに書き込むことを特徴とする。
【０００８】
請求項１８に記載の制御プログラムは、情報を送受信するためのインタフェース手段により接続された情報処理装置と画像処理装置とから構成される画像処理システムを制御するための制御プログラムであって、スキャン指示が出された場合に、前記画像処理装置に原稿を読み取らせるとともに読み取った画像データを前記情報処理装置に転送させるステップと、転送された前記画像データに基づいて前記情報処理装置にファイルデータを生成させるとともに生成された前記ファイルデータを前記画像処理装置に転送するステップと、前記ファイルデータをファイル情報とともに前記画像処理装置に装着された着脱自在な記憶媒体に書き込むステップと、を有することを特徴とする。
【０００９】
請求項２５に記載の制御プログラムは、情報を送受信するためのインタフェース手段により画像処理装置と接続される情報処理装置を制御するための制御プログラムであって、スキャン指示が出された場合に、前記画像処理装置を制御して原稿を読み取らせるとともに読み取った画像データを前記情報処理装置に転送させるステップと、前記画像処理装置から転送された前記画像データからファイルデータを生成するとともに生成した前記ファイルデータを前記画像処理装置に転送するステップと、前記ファイルデータをファイル情報とともに前記画像処理装置に装着された着脱自在な記憶媒体に書き込むステップと、を有することを特徴とする。
【００１０】
請求項３０に記載の制御プログラムは、情報を送受信するためのインタフェース手段により情報処理装置と接続され、前記情報処理装置により制御される画像処理装置を制御するための制御プログラムであって、スキャン指示が出された場合に、原稿を読み取るとともに読み取った画像データを前記情報処理装置に転送するステップと、前記情報処理装置において前記画像データから生成されたファイルデータを着脱自在な記憶媒体にファイル情報とともに書き込むステップと、を有することを特徴とする。
【００１１】
【発明の実施の形態】
（第１の実施形態）
図１は、画像処理装置１０の基本構成を示すブロック図である。
システム制御部１０１は、システムバス１２０を介して装置全体の動作を制御するものである。ＲＯＭ１０２は、システム制御部１０１の制御プログラム等を格納するものである。登録メモリ１０３は、バッテリーバックアップされたＳＲＡＭもしくはフラッシュメモリ等で構成され、オペレータが登録した設定値や装置の管理データ等を格納するためのものである。画像メモリ１０４は、ＤＲＡＭ等により構成され、画像データを蓄積するためのものである。ワークメモリ１０５は、ＤＲＡＭ等で構成され、プログラム制御変数等を格納するためのものである。
【００１２】
操作部１０６は、各種キー等により構成され、オペレータが各種入力を行うものである。表示部１０７は、ＬＣＤやＬＥＤ等により構成され、各種表示、表音を行うものである。読取制御部１０８は、ＣＣＤやＣＳ等のイメージセンサ、画像処理制御部等により構成され、原稿を光学的に読み取り、電気的な画像データに変換し、さらに色処理、２値化処理、中間調処理などの各種画像処理を施して高精細な画像データを出力するものである。
【００１３】
記録制御部１０９は、感熱、レーザ、インクジェット等のプリンタや画像処理制御部等により構成され、記録する画像データ等をスムージング処理や記録濃度補正処理などの各種画像処理を施して高精細な画像データに変換し、記録紙上に出力するものである。符号化／復号化部１１０は、生の画像データを符号化（ＭＨ，ＭＲ，ＭＭＲ，ＪＢＩＧ，ＪＰＥＧ等）し、また、符号化された画像データを生の画像データに復号化するものである。
【００１４】
メモリカードＩ／Ｆ１１１は、メモリカード５０を装着するためのスロット等から構成され、装着されたメモリカード５０内のファイルのリード／ライトを行うものである。メモリカードとしては、コンパクトフラッシュ（Ｒ），スマートメディア，メモリ・スティック等があり、それぞれ別々のスロットとしてもいいし、ＰＣＭＣＩＡカードスロットにより全てのカードに対応できるように構成してもいい。通信制御部１１２は、モデムやＮＣＵ（網制御装置）等により構成され、通信回線１１を通して相手通信装置との間で画情報等のやり取りを行うものである。
【００１５】
外部Ｉ／Ｆ制御部１１３は、シリアル入出力インタフェース用ＬＳＩ、パラレル入出力インタフェース用ＬＳＩ、ＬＡＮインタフェース用ＬＳＩ等から構成され、外部Ｉ／Ｆ３０を介して情報処理端末２０と各種制御命令やデータの送受信を行うものである。なお、これらの各種制御命令やデータの送受信に関しては、公知の方法を使用するものとし、詳述しない。
【００１６】
図２は、情報処理端末２０の基本構成を示すブロック図である。
ＣＰＵ２０１は、ＲＯＭ２０２、メインメモリ２０３、または、ハードディスク２２０に記憶されたプログラム、もしくは、ＦＤドライブ２２１、ＣＤ−ＲＯＭドライブ２２２から読み出されたプログラムに従って、システムバスを介して情報処理端末全体の動作を制御するものである。
【００１７】
ＲＯＭ２０２は、ＣＰＵ２０１の制御プログラム等を格納している。
メインメモリ２０３は、一時的にプログラムや画像データを記憶し、情報処理端末の処理を高速に動作させるためのものである。ハードディスク制御部２０４は、オペレーティング・システム、各種アプリケーションプログラムや画像データ等が格納されるハードディスク２２０を制御するものである。ハードディスク２２０には、本実施例における文字データ処理工程を含む、画像処理装置１０に対する各種制御命令やデータの送受信を行うためのアプリケーションソフトおよびドライバソフトがインストールされているものとする。通常、これらのアプリケーションソフトおよびドライバソフトは、これらが記憶された他のコンピュータ可読媒体からＦＤドライブ２２１，ＣＤ−ＲＯＭドライブ２２２等を介してハードディスク２２０にインストールされる。また、ネットワーク制御部２０７やモデム２０８を介してアプリケーションソフトおよびドライバソフトをダウンロードして、ハードディスク２２０にインストールすることもできる。
【００１８】
キーボード／マウス制御部２０５は、オペレータからの指示入力手段としてのキーボード／マウス２３０を制御するものである。ディスプレイ制御部２０６は、オペレータに各種表示を行うディスプレイ２４０を制御するものである。ネットワーク制御部２０７は、ネットワークＩ／Ｆ４０を介して図示しないネットワークに接続するための制御を行うものである。ネットワークへの接続に関しては、公知の方法を使用するものとし、詳述しない。
【００１９】
モデム２０８は、通信回線２１を通してプロバイダへの接続や、相手通信装置との間でのデータや画情報等の通信を行うものである。外部Ｉ／Ｆ制御部２０９は、シリアル入出力インタフェース用ＬＳＩ、パラレル入出力インタフェース用ＬＳＩ等から構成され、外部Ｉ／Ｆ３０を介して画像処理装置１０と各種制御命令やデータの送受信を行うものである。ＦＤドライブ制御部２１０は、ＦＤドライブ２２１を制御するものである。ＣＤ−ＲＯＭドライブ制御部２１１は、ＣＤ−ＲＯＭドライブ２２２を制御するものである。
【００２０】
図３は、本発明の実施例である外部Ｉ／Ｆ制御部１１３がＵＳＢインタフェースである場合における構成を示す概念図である。
【００２１】
最も大きい枠で示されるＤｅｖｉｃｅ（３０１）は、ＵＳＢ通信規格において１つだけ定義することができ、装置全体の属性を示している。Ｄｅｖｉｃｅ（３０１）の属性は、Ｄｅｖｉｃｅ　Ｄｅｓｃｒｉｐｔｏｒで表現され、Ｄｅｖｉｃｅ　Ｄｅｓｃｒｉｐｔｏｒには、装置の製造者ＩＤ、製品ＩＤ、リリース番号、Ｃｏｎｆｉｇｕｒａｔｉｏｎ数などが含まれている。本実施例においては、Ｃｏｎｆｉｇｕｒａｔｉｏｎ数は「１」である。
【００２２】
Ｄｅｖｉｃｅ（３０１）の中には、Ｃｏｎｆｉｇｕｒａｔｉｏｎが１つ（Ｃｏｎｆｉｇｕｒａｔｉｏｎ１（３０２））だけ定義されている。Ｃｏｎｆｉｇｕｒａｔｉｏｎ１（３０２）の属性は、ＣｏｎｆｉｇｕｒａｔｉｏｎＤｅｓｃｒｉｐｔｏｒで表現され、Ｃｏｎｆｉｇｕｒａｔｉｏｎ　Ｄｅｓｃｒｉｐｔｏｒには、そのＣｏｎｆｉｇｕｒａｔｉｏｎの中のＩｎｔｅｒｆａｃｅ数などが含まれている。本実施例においては、Ｉｎｔｅｒｆａｃｅ数は「４」である。
【００２３】
Ｃｏｎｆｉｇｕｒａｔｉｏｎ１（３０２）の中には、Ｉｎｔｅｒｆａｃｅが４つ（Ｉｎｔｅｒｆａｃｅ０〜３（３０４、３０７、３１１、３１５））定義されている。Ｉｎｔｅｒｆａｃｅ０〜３（３０４、３０７、３１１、３１５）の属性は、Ｉｎｔｅｒｆａｃｅ　Ｄｅｓｃｒｉｐｔｏｒで表現され、Ｉｎｔｅｒｆａｃｅ　Ｄｅｓｃｒｉｐｔｏｒには、そのＩｎｔｅｒｆａｃｅの中のＥｎｄｐｏｉｎｔ数、クラスコードなどが含まれている。本実施例においては、プリンタ用に使用するＩｎｔｅｒｆａｃｅ０（３０４）の中のＥｎｄｐｏｉｎｔ数は「２」である。また、スキャナ用に使用するＩｎｔｅｒｆａｃｅ１（３０７）の中のＥｎｄｐｏｉｎｔ数は「３」である。また、ＦＡＸ送受信用に使用するＩｎｔｅｒｆａｃｅ２（３１１）の中のＥｎｄｐｏｉｎｔ数は「３」である。また、メモリカード用に使用するＩｎｔｅｒｆａｃｅ３（３１５）の中のＥｎｄｐｏｉｎｔ数は「２」である。
【００２４】
プリンタ用に使用するＩｎｔｅｒｆａｃｅ０（３０４）の中には、Ｅｎｄｐｏｉｎｔが２つ（Ｅｎｄｐｏｉｎｔ１、２（３０５、３０６））だけ定義されている。Ｅｎｄｐｏｉｎｔ１、２（３０５、３０６）の属性は、Ｅｎｄｐｏｉｎｔ　Ｄｅｓｃｒｉｐｔｏｒで表現され、Ｅｎｄｐｏｉｎｔ　Ｄｅｓｃｒｉｐｔｏｒには、そのＥｎｄｐｏｉｎｔのＥｎｄｐｏｉｎｔ番号、通信方向、転送タイプ、パケットサイズなどが含まれている。Ｅｎｄｐｏｉｎｔ１（３０５）は、主に制御データ受信や印刷データ受信のために使用される。Ｅｎｄｐｏｉｎｔ２（３０６）は、主に受信した印刷データの印刷状況を送信するために使用される。
【００２５】
スキャナ用に使用するＩｎｔｅｒｆａｃｅ１（３０７）の中には、Ｅｎｄｐｏｉｎｔが３つ（Ｅｎｄｐｏｉｎｔ３、４、５（３０８、３０９、３１０））だけ定義されている。Ｅｎｄｐｏｉｎｔ３、４、５（３０８、３０９、３１０）の属性は、Ｅｎｄｐｏｉｎｔ　Ｄｅｓｃｒｉｐｔｏｒで表現され、Ｅｎｄｐｏｉｎｔ　Ｄｅｓｃｒｉｐｔｏｒには、そのＥｎｄｐｏｉｎｔのＥｎｄｐｏｉｎｔ番号、通信方向、転送タイプ、パケットサイズなどが含まれている。Ｅｎｄｐｏｉｎｔ３（３０８）は、主に制御データや読み取りデータを送信するために使用される。Ｅｎｄｐｏｉｎｔ４（３０９）は、主に制御データを受信するために使用される。Ｅｎｄｐｏｉｎｔ５（３１０）は、主にスキャンの開始が指示されたことを通知するために使用される。
【００２６】
ＦＡＸ送受信用に使用するＩｎｔｅｒｆａｃｅ２（３１１）の中には、Ｅｎｄｐｏｉｎｔが３つ（Ｅｎｄｐｏｉｎｔ６、７、８（３１２、３１３、３１４））だけ定義されている。Ｅｎｄｐｏｉｎｔ６、７、８（３１２、３１３、３１４）の属性は、Ｅｎｄｐｏｉｎｔ　Ｄｅｓｃｒｉｐｔｏｒで表現され、Ｅｎｄｐｏｉｎｔ　Ｄｅｓｃｒｉｐｔｏｒには、そのＥｎｄｐｏｉｎｔのＥｎｄｐｏｉｎｔ番号、通信方向、転送タイプ、パケットサイズなどが含まれている。
【００２７】
Ｅｎｄｐｏｉｎｔ６（３１２）は、主に制御データ受信やＦＡＸ送信データ受信のために使用される。Ｅｎｄｐｏｉｎｔ７（３１３）は、主にＦＡＸ受信データ送信やＦＡＸ送受信の通信状況を送信するために使用される。Ｅｎｄｐｏｉｎｔ８（３１４）は、主にＦＡＸ受信が終了したことを通知するために使用される。
【００２８】
メモリカード用に使用するＩｎｔｅｒｆａｃｅ２（３１５）の中には、Ｅｎｄｐｏｉｎｔが２つ（Ｅｎｄｐｏｉｎｔ９、１０（３１６、３１７））だけ定義されている。Ｅｎｄｐｏｉｎｔ９、１０（３１６、３１７）の属性は、Ｅｎｄｐｏｉｎｔ　Ｄｅｓｃｒｉｐｔｏｒで表現され、Ｅｎｄｐｏｉｎｔ　Ｄｅｓｃｒｉｐｔｏｒには、そのＥｎｄｐｏｉｎｔのＥｎｄｐｏｉｎｔ番号、通信方向、転送タイプ、パケットサイズなどが含まれている。
【００２９】
Ｅｎｄｐｏｉｎｔ９（３１６）は、主に制御データ受信やカードデータ受信のために使用される。Ｅｎｄｐｏｉｎｔ１０（３１７）は、主に制御データ送信やカードデータ送信するために使用される。
【００３０】
このような構成にすることにより、画像処理装置１０内のメモリカードＩ／Ｆ１１１は、情報処理端末２０からは着脱可能メディアドライブ（例えば、ＥドライブやＦドライブ）として認識され、また、情報処理端末２０からメモリカード５０内のファイルのリード／ライトが可能になる。
【００３１】
ここで、情報処理端末２０上のハードディスク２２０、ＦＤドライブ２２１、ＣＤ−ＲＯＭドライブ２２２等の構成によっては、タイミングによって他のドライブとして認識される（例えば、ＥドライブからＦドライブに変更される）可能性がある。このため、ドライブ情報に関しては、必要に応じて、適宜、取得したドライブ情報を使用する構成となっている。
【００３２】
図４は、情報処理端末２０上でスキャン開始を指示するためのツールバー４００を示す説明図である。ツールバー４００は、スキャン開始用ボタン４０１〜４０７と設定ボタン４０８で構成され、オペレータの操作により起動されるアプリケーションソフトウェアに基づいて情報処理端末２０に接続されたディスプレイ２４０上に表示される。なお、このアプリケーションソフトウェアは、情報処理端末が起動する時に自動的に起動されるように構成してもよい。各スキャン開始用ボタンを押下することにより、ボタン毎に設定された読み取りモードに応じて、スキャン動作が実行され、スキャン後、必要に応じて後述の後処理を行う。
【００３３】
読み取りモードには、読み取り色（カラー／グレイスケール／２値等），読み取り解像度，読み取りサイズ，転送するアプリケーション，保存するフォルダ／ファイル名，転送／保存するファイル形式（ＪＰＥＧ，ＴＩＦＦ，ＢＭＰ等）などの中から必要な項目がボタン毎に設定できる。
【００３４】
画像編集ボタン４０１が押下されると、設定された読み取りモードで原稿を読み取った後、読み取り画像は設定されたアプリケーションに設定されたファイル形式（ＪＰＥＧ，ＴＩＦＦ，ＢＭＰ等）で渡され、該アプリケーションが起動される。
【００３５】
文書編集ボタン４０２が押下されると、設定された読み取りモードで原稿を読み取った後、読み取り画像はＯＣＲ処理を施され、設定されたアプリケーションに文書ファイルとして渡され、該アプリケーションが起動される。
【００３６】
ファクスボタン４０３が押下されると、設定された読み取りモードで原稿を読み取った後、読み取り画像は設定されたファクスドライバに渡され、ファクス送信画像となる。この時、ファクスドライバは相手先の指定を行うための設定ダイアログを表示するように構成してもよい。
【００３７】
メールボタン４０４が押下されると、設定された読み取りモードで原稿を読み取った後、読み取り画像は設定された電子メールアプリケーションに設定されたファイル形式（ＪＰＥＧ，ＴＩＦＦ，ＢＭＰ等）で渡され、添付ファイルとして該電子メールアプリケーションが起動される。
【００３８】
コピーボタン４０５が押下されると、設定された読み取りモードで原稿を読み取った後、設定されたプリンタドライバに渡され、プリント画像となる。この時、プリンタドライバはプリントのための詳細設定を行うための設定ダイアログを表示するように構成してもよい。
【００３９】
保存ボタン４０６が押下されると、設定された読み取りモードで原稿を読み取った後、設定されたファイル形式（ＪＰＥＧ，ＴＩＦＦ，ＢＭＰ等）に変換され、情報処理端末２０のハードディスク上の設定されたフォルダに設定されたファイル名として保存される。フォルダ名やファイル名を日付にする、もしくは、ファイル名中に複数桁の数値が入り、この数値を自動的にインクリメントすることにより、同一ファイル名が使用されないようにしてもよい。
【００４０】
カードボタン４０７が押下されると、設定された読み取りモードで原稿を読み取った後、設定されたファイル形式（ＪＰＥＧ，ＴＩＦＦ，ＢＭＰ等）に変換され、画像処理装置１０のメモリカード５０上の設定されたフォルダに設定されたファイル名として保存される。カードボタン４０７が押下されたときの動作の詳細は後述する。
【００４１】
設定ボタン４０８が押下されると、各ボタンに対応する上記読み取りモードや対象アプリケーション／ドライバを設定するための設定ダイアログが表示され、オペレータは各種設定の変更、保存を行うことができる。また、情報処理端末２０から画像処理装置１０に対してスキャン開始指示を送出する前に読み取りモードの設定を行うためのダイアログを表示するか否かを切り換えるために使用される自動読み取りモードの設定も本設定ダイアログにて変更、保存を行うことができる。
【００４２】
図５は、本実施例における情報処理端末２０におけるスキャン開始用ボタン押下時にＣＰＵ２０１により実行される処理を示すフローチャートである。このフローチャートに沿った処理内容は、ＣＰＵ２０１の制御プログラムとしてＲＯＭ２０２に格納されている。
【００４３】
まず、ツールバー４００上のスキャン開始用ボタン４０１〜４０７のいずれかのボタンが押下された場合には、自動読み取りモードが設定されているか否かを判断する（Ｓ５０１）。自動読み取りモードが設定されている場合には、Ｓ５０３に移行する。
【００４４】
また、Ｓ５０１において自動読み取りモードが設定されていない場合には、読み取りモードの設定を行うための設定ダイアログをディスプレイ２４０に表示し、オペレータが読み取りモードの設定を行った後（Ｓ５０２）、Ｓ５０３に移行する。ここで、読み取りモードの設定を行うための設定ダイアログの各設定初期値は、押下されたボタンに対応して設定されている読み取りモードとなるように構成してもよいし、また、該ダイアログを前回開いたときに設定された読み取りモードとなるように構成してもよい。
【００４５】
Ｓ５０３において、スキャン開始が可能か否かを判断する。これは、画像処理装置１０にスキャン原稿がセットされている、また、他の動作でビジー状態では無いことなどを確認することにより判断される。また、押下されたスキャン開始用ボタンがカードボタン４０７の場合には、画像処理装置１０上のメモリカード５０が書き込み可能か否かに関してもこの時点で判断するように構成してもいい。これは、画像処理装置１０上にメモリカード５０が装着されている、また、他の動作でビジー状態では無いことなどを確認することにより判断される。
【００４６】
Ｓ５０３でスキャン開始が不可能と判断された場合には、オペレータに処理を続行できない由のエラーダイアログをディスプレイ２４０に表示し（Ｓ５１３）、処理を終了する。このように表示することで、メモリカードに書き込み不能の場合にも、スキャン動作を開始することなく、処理を終了することができ、オペレータにとって使い勝手のよいシステムを提供可能となる。
【００４７】
一方、Ｓ５０３でスキャン開始が可能と判断された場合には、スキャン開始指示を送出した後、画像処理装置１０から転送される画像をＥｎｄｐｏｉｎｔ３（３０８）を介して随時受信する（Ｓ５０４）。Ｓ５０５において、スキャン画像受信中にエラーが無いかどうかを判断し、エラーが無ければＳ５０６に移行し、エラーがあればディスプレイ２４０へのエラーダイアログ表示等のエラー処理を行い（Ｓ５１３）処理を終了する。
【００４８】
Ｓ５０６において、スキャン画像の受信が終了したか否かを判断し、終了していなければＳ５０４に移行し、終了していればＳ５０７に移行する。Ｓ５０７において、押下されたスキャン開始用ボタンが何であったかを判断し、カードボタン４０７以外ならば、前述したように設定されているアプリケーションやドライバに画像を渡す等といった後処理を実行し（Ｓ５０８）、処理を終了する。
【００４９】
また、Ｓ５０７において、押下されたスキャン開始用ボタンがカードボタン４０７であった場合、受信したスキャン画像を設定された保存ファイル形式（ＪＰＥＧ，ＴＩＦＦ，ＢＭＰ等）に変換する（Ｓ５０９）。なお、保存ファイル形式への変換は、Ｓ５０４でスキャン画像を受信している最中に行うように構成することも可能である。その後、メモリカード５０内のファイル情報（フォルダ／ファイル構成）をまだ読み込んでいない場合には、外部Ｉ／Ｆ制御部１１３のＥｎｄｐｏｉｎｔ１０（３１７）を介して、画像処理装置１０のメモリカードＩ／Ｆ１１１に装着されたメモリカード５０内のファイル情報を読みこむ（Ｓ５１０）。
【００５０】
Ｓ５１１において、ファイルデータおよび設定されたフォルダ名／ファイル名等のファイル情報を外部Ｉ／Ｆ制御部１１３のＥｎｄｐｏｉｎｔ９（３１６）を介して画像処理装置１０に送信し、メモリカードＩ／Ｆ１１３に装着されたメモリカード５０内にファイルとして書き込むように制御する。その際、メモリカードＩ／Ｆ１１３は、一つのメディアドライブとして認識されており、認識されたメディアドライブ（例えばＥドライブ）にファイルデータを転送してファイル情報とともに書き込むように制御する。
【００５１】
ここで、フォルダ名やファイル名を日付にする、もしくは、ファイル名中に複数桁の数値が入り、この数値を自動的にインクリメントすることにより、同一ファイル名が使用されないようにすることも可能である。また、書き込もうとしたフォルダ名／ファイル名がＳ５１０で読み込まれたファイル情報と同じ場合には、ファイル名の末尾に識別可能な文字を付加することにより、メモリカード５０内に存在するファイルが自動的に上書き／消去されないようにすることも可能である。
【００５２】
Ｓ５１２において、外部Ｉ／Ｆ制御部１１３のＥｎｄｐｏｉｎｔ１０（３１７）を介してメモリカード５０がメモリフル等の書き込みエラーになっていないか判断し、書き込みエラーになっていれば、送信したファイルの消去やオペレータに対するエラーダイアログをディスプレイ２４０に表示するというエラー処理を行い（Ｓ５１３）、処理を終了する。
【００５３】
また、Ｓ５１２において、書き込みエラーになっていないならば、ファイル情報／データの送信及びメモリカード５０への書き込みが終了したか否かを判断し（Ｓ５１４）、終了していなければＳ５１１に移行し、終了していれば処理を終了する。ファイル情報／データの送信が正常に終了した場合には、正常終了した由の表示／表音を情報処理端末２０、もしくは、画像処理装置１０上で行うようにしてもいい。さらには、書き込まれたフォルダ名／ファイル名の情報を情報処理端末２０のディスプレイ２４０、もしくは、画像処理装置１０の表示部１０７上に表示するようにしてもいい。
【００５４】
以上のように構成することで、情報処理端末上での非常に簡単な操作で、画像処理装置からスキャンを行い、かつ、スキャン画像を画像処理装置に装着されたメモリカードに保存することにより、オペレータに煩雑な操作を強いるという従来の問題点が解消し、使い勝手のよい画像処理システムを提供することが可能となる。
【００５５】
また、メモリカードが書き込みできない状態にある場合に、スキャンを行う前に、オペレータにエラーを通知することにより、時間がかかる読取動作が行った後でエラーを通知するといった不具合が解消し、ユーザインタフェースの向上した画像処理システムを提供することが可能となる。
【００５６】
（第２の実施形態）
図６は、第２の実施形態における画像処理装置１０の基本構成を示すブロック図である。本実施形態の画像処理装置は、第１の実施形態における図１に示したものと基本的な構成は同一であるが、操作部１０６にスキャンキー１５０を備えている点が異なっている。本実施形態では、オペレータが操作部１０６上にあるスキャンキー１５０を押下することによりスキャン開始要求の指示が行われる。また、図３に示したＥｎｄｐｏｉｎｔ５（３１０）は、主にスキャンキー１５０が押下されたことを通知するために使用される。
【００５７】
本実施形態では、図４の設定ボタン４０８が押下された場合にディスプレイ２４０上に表示される設定ダイアログにおいて、オペレータは、画像処理装置１００の操作部１０６上にあるスキャンキー１５０が押下された場合に情報処理端末１３０上で行われる制御（以降、スキャンキー押下時制御と称す）を設定することができる。そして、スキャンキー１５０が押下された場合には、スキャン開始用ボタン４０１〜４０７のいずれかが押下された場合と同一の制御処理を行うように設定するか、又はツールバー４００を起動するように設定可能であり、選択された設定が記憶される。
【００５８】
図７は、本実施形態における画像処理装置１０上のスキャンキー１５０をオペレータが押下した場合に、システム制御部１０１により実行される処理を示すフローチャートである。このフローチャートに沿った処理内容は、システム制御部１０１の制御プログラムとしてＲＯＭ１０２に格納されている。
【００５９】
スキャンキー１５０が押下された場合、スキャン開始が可能か否かを判断する（Ｓ９０１）。現在スキャン等の動作中である場合や、原稿が無い場合などスキャン開始が可能ではないと判断した場合には、現在スキャンができない由をオペレータに通知するため表示部１０７において表示、表音を行い（Ｓ９０７）、処理を終了する。すなわち、外部Ｉ／Ｆ制御部１１３のＥｎｄｐｏｉｎｔ５（３１０）を介してスキャンキー１５０が押下されたこと（スキャン指示）を情報処理端末２０に通知（伝達）しないように制御する。
【００６０】
また、メモリカード５０が書き込み可能か否かに関してもこの時点で判断するように構成してもいい。これは、画像処理装置１０上にメモリカード５０が装着されている、また、他の動作でビジー状態では無いことなどを確認することにより判断される。こうすることにより、メモリカード５０に書き込み不能の場合にも、スキャン動作を開始することなく、処理を終了することができ、オペレータにとって使い勝手のよいシステムを提供可能となる。
【００６１】
Ｓ９０１でスキャン開始が可能と判断された場合には、スキャンキー１５０が押下されたこと（スキャン指示）を外部Ｉ／Ｆ制御部１１３のＥｎｄｐｏｉｎｔ５（３１０）を介して情報処理端末２０に通知する。通知が完了したか否かを判断し（Ｓ９０２）、所定の時間が経っても通知できない場合（Ｓ９０３）には、スキャンができない由をオペレータに通知するため表示部１０７において表示、表音を行い（Ｓ９０７）、処理を終了する。
【００６２】
Ｓ９０２において情報処理端末２０への通知が完了した場合には、情報処理端末２０から外部Ｉ／Ｆ制御部１１３のＥｎｄｐｏｉｎｔ４（３０９）を介してスキャン開始指示を待ち（Ｓ９０４）、所定の時間が経ってもスキャン開始指示が無い場合（Ｓ９０５）には、スキャンができない由をオペレータに通知するため表示部１０７において表示、表音を行い（Ｓ９０７）、処理を終了する。
【００６３】
Ｓ９０４において情報処理端末２０からのスキャン開始指示が有った場合には、該指示で指定される読み取りモードに従って、読取制御部１０８により読み取られた読取画像を、外部Ｉ／Ｆ制御部１１３のＥｎｄｐｏｉｎｔ３（３０８）を介して情報処理端末２０に随時転送し（Ｓ９０６）、処理を終了する。Ｓ９０６において、転送する画像は、符号化／復号化部１１０にて符号化した後に転送するように構成してもよい。
【００６４】
図８は、本実施形態における情報処理端末２０におけるスキャン開始時にＣＰＵ２０１により実行される処理を示すフローチャートである。このフローチャートに沿った処理内容は、ＣＰＵ２０１の制御プログラムとしてＲＯＭ２０２に格納されている。
【００６５】
まず、ツールバー４００上のスキャン開始用ボタン４０１〜４０７のいずれかのボタンが押下されたか否かを判断し（Ｓ６０１）、いずれかのボタンが押下された場合には、押下されたスキャン開始ボタンに応じたスキャン処理を行う（Ｓ６０４）。スキャン処理の詳細は後述する。
【００６６】
一方、Ｓ６０１において、スキャン開始用ボタン４０１〜４０７のいずれのボタンも押下されていないと判断された場合には、画像処理装置１０上のスキャンキー１５０が押下されたか否かを判断する（Ｓ６０２）。これは、外部Ｉ／Ｆ制御部１２２のＥｎｄｐｏｉｎｔ５（３１０）を介して画像処理装置１０からスキャンキー１５０が押下されたことの通知があるか否かで判断され、押下されていないと判断された場合には、Ｓ６０１にもどる。
【００６７】
また、Ｓ６０２において、スキャンキー１５０が押下されたことの通知があり、スキャンキー１５０が押下されたと判断された場合には、スキャンキー押下時制御として何が設定されているかを判断する（Ｓ６０３）。スキャンキー押下時制御としてツールバー４００の起動が選択されている場合には、ツールバー４００を起動し（Ｓ６０５）、処理を終了する。
【００６８】
一方、スキャンキー押下時制御としてスキャン開始用ボタン４０１〜４０７のいずれかの制御が設定されている場合には、設定されたスキャン開始用ボタンの内容じ応じたスキャン処理を行う（Ｓ６０４）。スキャン処理の詳細は後述する。
【００６９】
図９は、本実施例における情報処理端末２０のＣＰＵ２０１により実行されるスキャン処理を示すフローチャートである。このフローチャートに沿った処理内容は、ＣＰＵ２０１の制御プログラムとしてＲＯＭ２０２に格納されている。
【００７０】
まず、ツールバー４００上のスキャン開始用ボタン４０１〜４０７のいずれかのボタンが押下された場合、もしくは、画像処理装置１０上のスキャンキー１５０が押下されたことの通知がある場合には、自動読み取りモードが設定されているか否かを判断する（Ｓ７０１）。自動読み取りモードが設定されている場合には、Ｓ７０３に移行する。
【００７１】
また、Ｓ７０１において自動読み取りモードが設定されていない場合には、読み取りモードの設定を行うための設定ダイアログをディスプレイ２４０に表示し、オペレータが読み取りモードの設定を行った後（Ｓ７０２）、Ｓ７０３に移行する。ここで、読み取りモードの設定を行うための設定ダイアログの各設定初期値は、押下されたボタンに対応して設定されている読み取りモードとなるように構成してもいいし、また、該ダイアログを前回開いたときに設定された読み取りモードとなるように構成してもいい。
【００７２】
Ｓ７０３において、スキャン開始が可能か否かを判断する。これは、画像処理装置１０にスキャン原稿がセットされている、また、他の動作でビジー状態では無いことなどを確認することにより判断される。また、押下されたスキャン開始用ボタンがカードボタン４０７の場合には、画像処理装置１０上のメモリカード５０が書き込み可能か否かに関してもこの時点で判断するように構成してもいい。これは、画像処理装置１０上にメモリカード５０が装着されている、また、他の動作でビジー状態では無いことなどを確認することにより判断される。
【００７３】
Ｓ７０３でスキャン開始が不可能と判断された場合には、オペレータに処理を続行できない由のエラーダイアログをディスプレイ２４０に表示し（Ｓ７１３）、処理を終了する。このように表示することで、メモリカードに書き込み不能の場合にも、スキャン動作を開始することなく、処理を終了することができ、オペレータにとって使い勝手のよいシステムを提供可能となる。また、スキャン動作を開始できない由を画像処理装置１０に通知するように構成してもいい。
【００７４】
一方、Ｓ７０３でスキャン開始が可能と判断された場合には、スキャン開始指示を送出した後、画像処理装置１０から転送される画像をＥｎｄｐｏｉｎｔ３（３０８）を介して随時受信する（Ｓ７０４）。Ｓ７０５において、スキャン画像受信中にエラーが無いかどうかを判断し、エラーが無ければＳ７０６に移行し、エラーがあればディスプレイ２４０へのエラーダイアログ表示等のエラー処理を行い（Ｓ７１３）処理を終了する。
【００７５】
Ｓ７０６において、スキャン画像の受信が終了したか否かを判断し、終了していなければＳ７０４に移行し、終了していればＳ７０７に移行する。Ｓ７０７において、押下されたスキャン開始用ボタンがカードボタン４０７以外の場合、または、スキャンキー１５０が押下され、スキャンキー押下時制御としてカードボタン４０７が設定されていない場合には、前述したように設定されているアプリケーションやドライバに画像を渡す等といった後処理を実行し（Ｓ７０８）、処理を終了する。
【００７６】
また、Ｓ７０７において、押下されたスキャン開始用ボタンがカードボタン４０７の場合、もしくは、スキャンキー１５０が押下され、スキャンキー押下時制御としてカードボタン４０７が設定されている場合には、受信したスキャンした画像を設定された保存ファイル形式（ＪＰＥＧ，ＴＩＦＦ，ＢＭＰ等）に変換する（Ｓ７０９）。なお、保存ファイル形式への変換は、Ｓ７０４でスキャン画像を受信している最中に行うように構成することも可能である。その後、メモリカード５０内のファイル情報（フォルダ／ファイル構成）をまだ読み込んでいない場合には、外部Ｉ／Ｆ制御部１２２のＥｎｄｐｏｉｎｔ１０（３１７）を介して、画像処理装置１０に装着されたメモリカード５０内のファイル情報を読みこむ（Ｓ７１０）。
【００７７】
Ｓ７１１において、ファイルデータおよび設定されたフォルダ名／ファイル名等のファイル情報を外部Ｉ／Ｆ制御部１２２のＥｎｄｐｏｉｎｔ９（３１６）を介して画像処理装置１０に送信し、メモリカード５０内にファイルとして書き込むように制御する。ここで、フォルダ名やファイル名を日付にする、もしくは、ファイル名中に複数桁の数値が入り、この数値を自動的にインクリメントすることにより、同一ファイル名が使用されないようにすることも可能である。また、書き込もうとしたフォルダ名／ファイル名がＳ７１０で読み込まれたファイル情報と同じ場合には、ファイル名の末尾に識別可能な文字を付加することにより、メモリカード５０内に存在するファイルが自動的に上書き／消去されないようにすることも可能である。
【００７８】
Ｓ７１２において、外部Ｉ／Ｆ制御部１２２のＥｎｄｐｏｉｎｔ１０（３１７）を介してメモリカード５０がメモリフル等の書き込みエラーになっていないか判断し、書き込みエラーになっていれば、送信したファイルの消去やオペレータに対するエラーダイアログをディスプレイ２４０に表示するというエラー処理を行い（Ｓ７１３）、処理を終了する。
【００７９】
また、Ｓ７１２において、書き込みエラーになっていないならば、ファイル情報／データの送信及びメモリカード５０への書き込みが終了したか否かを判断し（Ｓ７１４）、終了していなければＳ７１１に移行し、終了していれば処理を終了する。ファイル情報／データの送信が正常に終了した場合には、正常終了した由の表示／表音を情報処理端末２０、もしくは、画像処理装置１０上で行うようにしてもいい。さらには、書き込まれたフォルダ名／ファイル名の情報を情報処理端末２０のディスプレイ２４０、もしくは、画像処理装置１０の表示部１０７上に表示するようにしてもいい。
【００８０】
以上のように構成することで、画像処理装置上での非常に簡単な操作（キー押下）だけで、画像処理装置からスキャンを行い、かつ、スキャン画像を画像処理装置に装着されたメモリカードに保存することにより、オペレータに煩雑な操作を強いるという従来の問題点が解消し、使い勝手のよい画像処理システムを提供することが可能となる。
【００８１】
また、メモリカードが書き込みできない状態にある場合に、スキャンを行う前に、オペレータにエラーを通知することにより、時間がかかる読取動作が行った後でエラーを通知するといった不具合が解消し、ユーザインタフェースの向上した画像処理システムを提供することが可能となる。
【００８２】
（第３の実施形態）
上記した実施形態では、画像処理装置１０としてファクシミリやプリンタ機能を含む複合機を例に説明したが、本発明はこれに限ることなく、画像読取機能とメモリカード機能のみが搭載されている場合に関しても有効であることは言うまでもない。
【００８３】
また、本発明の目的は、上述した実施形態の機能を実現するソフトウェアのプログラムを記録した記録媒体を、システム或いは装置に供給し、そのシステム或いは装置のコンピュータ（又は、ＣＰＵやＭＰＵ）が記憶媒体に格納されたプログラムコードを読み出し、実行することによっても、達成されることは言うまでもない。
【００８４】
この場合、記憶媒体から読み出されたプログラムコード自体が、上述した実施形態の機能を実現することになり、そのプログラムコードを記憶した記憶媒体は本発明を構成することになる。プログラムコードを供給するための記憶媒体としては、例えば、フロッピー（Ｒ）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００８５】
また、コンピュータが読み出したプログラムコードを実行することにより、上述した実施形態の機能が実現されるだけでなく、そのプログラムコードの指示に基づき、コンピュータ上で稼働しているＯＳ（オペレーティング・システム）などが実際の処理の一部又は全部を行い、その処理によって、上述した実施形態の機能が実現される場合も含まれることは言うまでもない。
【００８６】
【発明の効果】
以上説明したように本発明によれば、非常に簡単な操作で、画像処理装置によりスキャンを行い、かつ、スキャン画像を画像処理装置に装着された着脱自在な記憶媒体に保存することができる。
【図面の簡単な説明】
【図１】本発明の実施形態における画像処理装置１０の基本構成を示すブロック図である。
【図２】本発明の記実施形態において、情報処理端末２０の基本構成を示すブロック図である。
【図３】本発明の実施形態において、外部Ｉ／Ｆ制御部１１３がＵＳＢインタフェースである場合における構成を示す概念図である。
【図４】本発明の実施形態において、情報処理端末２０上でスキャン開始を指示するためのツールバー４００を示す説明図である。
【図５】本発明の実施形態における情報処理端末２０におけるスキャン開始用ボタン押下時の処理を示すフローチャートである。
【図６】本発明の実施形態における画像処理装置１０の基本構成を示すブロック図である。
【図７】本発明の実施形態における画像処理装置１０上のスキャンキー１５０を押下した時の処理を示すフローチャートである。
【図８】本発明の実施形態における情報処理端末２０におけるスキャン開始時の処理を示すフローチャートである。
【図９】本発明の実施形態における情報処理端末２０におけるスキャン処理を示すフローチャートである。
【符号の説明】
１０　画像処理装置装置、
２０　情報処理端末、
３０　外部Ｉ／Ｆ、
５０　メモリカード
１０１　システム制御部、
１０６　操作部、
１０７　表示部、
１０８　読取制御部、
１１１　メモリカードＩ／Ｆ
１１３　外部Ｉ／Ｆ制御部、
１５０　スキャンキー
２０１　ＣＰＵ
２０９　外部Ｉ／Ｆ制御部、
２２０　ハードディスク、
２３０　キーボード／マウス
２４０　ディスプレイ
４００　ツールバー
４０７　カードボタン
【図１】
2004032279.tif 000003
【図２】
2004032279.tif 000004
【図３】
2004032279.tif 000005
【図４】
2004032279.tif 000006
【図５】
2004032279.tif 000007
【図６】
2004032279.tif 000008
【図７】
2004032279.tif 000009
【図８】
2004032279.tif 000010
【図９】
2004032279.tif 000011